(57)【要約】【課題】  間取りの自由度を高めることができる建物を提供する。【解決手段】  中間床１０と２階床２０とを接続する階段５０が設けられた建物Ｘであって、階段５０は、複数の段板５１ａから成るステップ部５１と、ステップ部５１の最上段の段板５１ａに連続する矩形状の踊り場部５２とを備え、踊り場部５２の床レベルは、２階床２０の床レベルに等しく、踊り場部５２の外周縁の隣り合う二辺は、２階床２０に設けられた矩形状の無床部３０の隣り合う二辺に接する。【選択図】  図１
2015081488.tif 000002
【特許請求の範囲】
【請求項１】
上階の床と下階の床とを接続する階段が設けられた建物であって、
前記階段は、複数の段板から成るステップ部と、前記ステップ部の最上段の前記段板に連続する矩形状の踊り場部とを備え、
前記踊り場部の床レベルは、前記上階の床レベルに等しく、
前記踊り場部の外周縁の隣り合う二辺は、前記上階の床に設けられた矩形状の無床部の隣り合う二辺に接する、建物。
【請求項２】
前記踊り場部の幅寸法は、前記ステップ部の幅寸法に略等しく、
前記踊り場部における前記ステップ部の昇降方向に沿った奥行寸法は、前記踊り場部の幅寸法よりも大きい、請求項１に記載の建物。
【請求項３】
前記踊り場部から、前記ステップ部の昇降方向に沿った線に対して直交する方向に進行可能なように前記上階の間取りが構成され、
前記踊り場部には、前記ステップ部が接続される側に対して反対側の位置に、前記踊り場部側から使用する腰掛部が設けられる、請求項２に記載の建物。
【請求項４】
前記踊り場部から、前記ステップ部の昇降方向に沿った線に対して直交する方向に進行可能なように前記上階の間取りが構成され、
前記踊り場部には、前記ステップ部が接続される側に対して反対側の位置に、前記踊り場部側及び前記上階の床側の少なくともいずれか側から使用する収納手段が設けられる、請求項２に記載の建物。
【請求項５】
前記踊り場部から、前記ステップ部の昇降方向に沿った線に対して直交する方向に進行可能なように前記上階の間取りが構成され、
前記踊り場部には、前記ステップ部が接続される側に対して反対側の位置に、前記踊り場部側から視認可能な装飾物用スペースが設けられる、請求項２に記載の建物。
【請求項６】
前記踊り場部から、前記ステップ部の昇降方向に沿った線に対して直交する方向に進行可能なように前記上階の間取りが構成され、
前記踊り場部を挟んで前記ステップ部に対向する位置の壁面には、前記踊り場部側から視認可能な情報表示装置が設けられる、請求項１又は２に記載の建物。
【発明の詳細な説明】
【技術分野】
【０００１】
本発明は、階段を備える建物に関する。
【背景技術】
【０００２】
従来、上階の床と下階の床とを接続する階段を備える建物がある。このような階段の一例として、例えば特許文献１には、略への字状のササラ桁を有する簡易鉄骨階段について記載されている。
【先行技術文献】
【特許文献】
【０００３】
【特許文献１】特開平６−３２２９１８号公報
【発明の概要】
【発明が解決しようとする課題】
【０００４】
階段を備える建物においては、階段を昇りきった後の進行方向が一方向に限定されることが一般的である。このような、階段を昇りきった後の進行方向に基づいて上階の間取りを検討するため、間取りの自由度が小さい。また、特許文献１に記載された階段のササラ桁は水平部分を有しているが、最上段の踏板を昇りきった先の床の構成、及び上階床との関係については不明である。
【０００５】
そこで、本発明は、間取りの自由度を高めることができる建物を提供することを目的とする。
【課題を解決するための手段】
【０００６】
本発明の一側面に係る建物は、上階の床と下階の床とを接続する階段が設けられた建物であって、階段は、複数の段板から成るステップ部と、ステップ部の最上段の段板に連続する矩形状の踊り場部とを備え、踊り場部の床レベルは、上階の床レベルに等しく、踊り場部の外周縁の隣り合う二辺は、上階の床に設けられた矩形状の無床部の隣り合う二辺に接する。
【０００７】
この建物では、踊り場部の外周縁の隣り合う二辺が上階の床に接しているので、踊り場部から、ステップ部の昇降方向に沿った方向、及び、ステップ部の昇降方向に沿った線に直交する方向の２つの方向の両方又は一方の方向に進行して、上階の居室に入ることができる。これにより、踊り場部から上階の居室へ入る際の進行方向を複数設定することができ、間取りの自由度を高めることができる。また、間取りの変更を伴う改装を行った場合であっても、階段の架け替えを抑制できる。
【０００８】
踊り場部の幅寸法は、ステップ部の幅寸法に略等しく、踊り場部におけるステップ部の昇降方向に沿った奥行寸法は、踊り場部の幅寸法よりも大きくてもよい。これにより、踊り場部から上階の居室に入る際に、ステップ部の昇降方向に沿った線に対して直交する方向に進行したとしても、踊り場部から上階の居室へ進入する際の踊り場部の有効幅を確保しつつ、踊り場部においてステップ部が接続される側に対して反対側のスペースを多目的に使用することができる。
【０００９】
踊り場部から、ステップ部の昇降方向に沿った線に対して直交する方向に進行可能なように上階の間取りが構成され、踊り場部には、ステップ部が接続される側に対して反対側の位置に、踊り場部側から使用する腰掛部が設けられていてもよい。この場合には、高齢者等が階段を昇った直後に腰掛部に腰掛けて小休止することができ、高齢者等にとって住み易い建物となる。
【００１０】
踊り場部から、ステップ部の昇降方向に沿った線に対して直交する方向に進行可能なように上階の間取りが構成され、踊り場部には、ステップ部が接続される側に対して反対側の位置に、踊り場部側及び上階の床側の少なくともいずれか側から使用する収納手段が設けられていてもよい。このように、踊り場部の奥行寸法を大きくすることによって形成されるスペースに収納手段を設けることによって、室内が乱雑となることを防止できる。
【００１１】
踊り場部から、ステップ部の昇降方向に沿った線に対して直交する方向に進行可能なように上階の間取りが構成され、踊り場部には、ステップ部が接続される側に対して反対側の位置に、踊り場部側から視認可能な装飾物用スペースが設けられていてもよい。この場合には、装飾物用スペースが階段を昇りきった正面に位置するので、階段を昇ってくる人の目に付き易くなる。このように、目に付き易い位置に設けられた装飾物用スペースに装飾物を飾ることにより、装飾物の存在価値、存在意義を高めることができる。
【００１２】
踊り場部から、ステップ部の昇降方向に沿った線に対して直交する方向に進行可能なように上階の間取りが構成され、踊り場部を挟んでステップ部に対向する位置の壁面には、踊り場部側から視認可能な情報表示装置が設けられていてもよい。この場合には、情報表示装置が階段を昇りきった正面に位置するので、階段を昇ってくる人の目に付き易くなる。これにより、情報表示装置を用いて家族への伝言、行動予定、時刻等の情報の共有を行う場合であっても、これらの情報を見逃すことを抑制できる。
【発明の効果】
【００１３】
本発明の一側面によれば、間取りの自由度を高めることができる建物を提供することができる。
【図面の簡単な説明】
【００１４】
【図１】一実施形態に係る建物の２階の間取りを示す平面図である。
【図２】図１のII-II線に沿った断面図である。
【図３】第１の変形例に係る階段周りを示す図であり、（ａ）は平面図、（ｂ）は（ａ）におけるIIIb-IIIb線に沿った断面図である。
【図４】第２の変形例に係る階段周りを示す図であり、（ａ）は平面図、（ｂ）は（ａ）におけるIVb-IVb線に沿った断面図である。
【図５】第３の変形例に係る階段周りを示す図であり、（ａ）は平面図、（ｂ）は（ａ）におけるVb-Vb線に沿った断面図である。
【図６】第４の変形例に係る階段周りを示す図であり、（ａ）は平面図、（ｂ）は（ａ）におけるVIb-VIb線に沿った断面図である。
【発明を実施するための形態】
【００１５】
以下、本発明の一実施形態について図面を参照しながら説明する。なお、図面の説明において同一の要素には同一の符号を付し、重複する説明を省略する。
【００１６】
本実施形態に係る建物Ｘは、図１及び図２に示すように、１階床、２階床（上階の床）２０、及び、１階床と２階床２０の中間に位置する中間床（下階の床）１０を備えた住宅である。なお、本実施形態では、部屋の配置説明を容易にするため、図１の方位記号が示す通り、上方向を北側として説明する。
【００１７】
建物Ｘの２階床２０上には、２階居室空間２１と、外部ベランダであるベランダ２２とが設けられている。２階居室空間２１は、建物Ｘの北側に設けられている。２階居室空間２１には、水回りや居間など各種の部屋が設けられている。ベランダ２２は、建物Ｘの南東の角部に設けられている。南西の角部には２階床２０の存在しない平面視で矩形状の無床部３０が形成されている。
【００１８】
中間床１０は、建物Ｘの南西の角部であり、無床部３０内の南寄りの領域に設けられている。無床部３０内の他の領域は吹抜け領域とされ、当該吹抜け領域内に階段４０及び階段５０が設置されている。中間床１０と１階床とは、階段４０によって接続されている。中間床１０と２階床２０とは、階段５０によって接続されている。中間床１０が１階床と２階床２０との中間位置よりも高い位置に設けられており、階段５０よりも階段４０の方が段板の枚数が多くなっている。
【００１９】
階段５０は、中間床１０の北側の縁部において東側の位置から北側に向かって延び、２階床２０に接続されている。階段５０は、図２に示すように、水平横方向から見たときに略への字状となっている。階段５０は、ステップ部５１、及び、踊り場部５２を含んで構成されている。ステップ部５１は、複数の段板５１ａによって構成されている。踊り場部５２は、ステップ部５１の最上段の段板５１ａに連続し、平面視矩形状となっている。踊り場部５２の床レベルは、２階床２０の床レベルと等しく、両者は段差なく連続している。
【００２０】
踊り場部５２の幅寸法（東西方向の長さ）は、ステップ部５１の幅寸法（東西方向の長さ）に等しい。踊り場部５２におけるステップ部５１の昇降方向に沿った奥行寸法（南北方向の長さ）は、踊り場部５２の幅寸法よりも大きい。
【００２１】
踊り場部５２の外周縁の隣り合う二辺は、無床部３０の隣り合う二辺に接している。より詳細には、踊り場部５２の北側の端部及び東側の端部が、無床部３０を設けることによって形成された２階床２０の端部のうち南側を向く端部及び西側を向く端部にそれぞれ接している。
【００２２】
踊り場部５２と２階居室空間２１との間は、ステップ部５１の昇降方向（南北方向）に沿って進行することにより往来可能となっている（図１の矢印Ａで示す経路）。更に、踊り場部５２と２階居室空間２１との間は、ステップ部５１の昇降方向に対して交差する方向（東西方向）に沿って進行することによっても往来可能となっている（図１の矢印Ｂで示す経路）。
【００２３】
本実施形態は以上のように構成され、踊り場部５２の外周縁の隣り合う二辺が２階床２０に接しているので、踊り場部５２から、ステップ部５１の昇降方向に沿った方向（矢印Ａの方向）、及び、ステップ部５１の昇降方向に沿った線に直交する方向（矢印Ｂの方向）の２つの方向に進行して、２階居室空間２１に入ることができる。このように、踊り場部５２から２階居室空間２１へ入る際の進行方向を複数設定することができ、間取りの自由度を高めることができる。また、間取りの変更を伴う改装を行った場合であっても、階段５０の架け替えを抑制できる。
【００２４】
次に、上記実施形態の変形例について説明する。なお、変形例の説明において、上記実施形態と同じ構成要素については同一符号を付して詳細な説明を省略する。まず、第１の変形例について説明する。本変形例は、上記実施形態の階段５０周りの構成を変更したものである。図３（ａ）及び図３（ｂ）に示すように、階段５０の踊り場部５２の上面において、ステップ部５１が接続される側に対して反対側の位置には、２階居室空間２１側から使用可能な物入れ又は棚等の収納手段６０が設けられている。この場合、踊り場部５２と２階居室空間２１との間は、ステップ部５１の昇降方向に対して交差する方向（矢印Ｂの方向）に沿って進行することによって往来可能な間取り構成となっている。
【００２５】
このように、収納手段６０は、踊り場部５２の奥行寸法を大きくすることによって形成されるスペースに設けられる。これにより、踊り場部５２から２階居室空間２１に入る際に、ステップ部５１の昇降方向に沿った線に対して直交する方向（矢印Ｂの方向）に進行したとしても、踊り場部５２から２階居室空間２１へ進入する際の踊り場部５２の有効幅を確保しつつ、踊り場部５２の奥側のスペースを収納手段６０として使用することができる。踊り場部５２に収納手段６０を設けることによって、室内が乱雑となることを防止できる。
【００２６】
この収納手段６０は、踊り場部５２側から使用できる向きに設けてもよく、踊り場部５２側及び２階居室空間２１側の両方から使用できるものであってもよい。また、図３（ｂ）において、収納手段６０が２階の天井まで達している場合を示したが、収納手段６０は天井まで達していなくてもよい。
【００２７】
次に第２の変形例について説明する。図４（ａ）及び図４（ｂ）に示すように、階段５０の踊り場部５２の上面において、ステップ部５１が接続される側に対して反対側の位置には、踊り場部５２側から使用する造り付けのベンチ（腰掛部）７０が設けられている。ベンチ７０の脇部分には、肘掛け７０ａが設けられている。この場合、踊り場部５２と２階居室空間２１との間は、ステップ部５１の昇降方向に対して交差する方向（矢印Ｂの方向）に沿って進行することによって往来可能な間取り構成となっている。
【００２８】
このように、踊り場部５２の奥行寸法を大きくすることによって形成されるスペースに踊り場部５２側から使用可能なベンチ７０を設けることで、高齢者等が階段５０を昇った直後にベンチ７０に腰掛けて小休止することができ、高齢者等にとって住み易い建物Ｘとなる。また、肘掛け７０ａが設けられていることにより、立上る際の補助及び腰掛ける際の補助として肘掛け７０ａを利用することができる。なお、ベンチ７０に替えて、椅子やソファー等を配置してもよい。また、図４（ｂ）において、ベンチ７０の背後側の壁７１が２階の天井まで達している場合を示したが、壁７１は天井まで達していなくてもよい。
【００２９】
次に第３の変形例について説明する。図５（ａ）及び図５（ｂ）に示すように、踊り場部５２の上面においてステップ部５１が接続される側に対して反対側の位置に壁８５が設けられている。この場合、踊り場部５２と２階居室空間２１との間は、ステップ部５１の昇降方向に対して交差する方向（矢印Ｂの方向）に沿って進行することによって往来可能な間取り構成となっている。
【００３０】
壁８５には、壁８５の踊り場部５２側の面を凹状に窪ませることによって、踊り場部５２側から視認可能な装飾物用スペース８０が設けられている。装飾物用スペース８０の下側には、装飾物が載置される載置台８１が設けられている。装飾物用スペース８０の上側には、載置台８１に載置された装飾物を照らす照明装置８２が設けられている。
【００３１】
このように、踊り場部５２の奥行寸法を大きくすることによって形成されるスペースに踊り場部５２側から視認可能な装飾物用スペース８０を設けることで、装飾物用スペース８０が階段を昇りきった正面に位置することとなる。これにより、装飾物用スペース８０が、階段５０を昇ってくる人の目に付き易くなる。従って、目に付き易い位置に設けられた装飾物用スペース８０に装飾物を飾ることにより、装飾物の存在価値、存在意義を高めることができる。なお、図５（ｂ）において、装飾物用スペース８０が設けられる壁８５が２階の天井まで達している場合を示したが、壁８５は天井まで達していなくてもよい。
【００３２】
次に第４の変形例について説明する。図６（ａ）及び図６（ｂ）に示すように、階段５０の踊り場部５２においてステップ部５１が接続される側に対して反対側の端部は、２階床２０から２階の天井に亘る壁９５に接している。この場合、踊り場部５２と２階居室空間２１との間は、ステップ部５１の昇降方向に対して交差する方向（矢印Ｂの方向）に沿って進行することによって往来可能な間取り構成となっている。壁９５の踊り場部５２側の面には、踊り場部５２側から視認可能な掲示板（情報表示装置）９０が設けられている。掲示板９０以外にも、ホワイトボード、時計等、他の情報表示装置を設けてもよい。
【００３３】
これにより、掲示板９０が階段５０を昇りきった正面に位置するので、階段５０を昇ってくる人の目に付き易くなる。従って、掲示板９０を用いて家族への伝言、行動予定、時刻等の情報の共有を行う場合であっても、これらの情報を見逃すことを抑制できる。なお、踊り場部５２は、幅寸法（東西方向の寸法）よりも奥行寸法（南北方向の寸法）が大きいものとしたが、掲示板９０を設ける場合には、踊り場部５２の奥行寸法と幅寸法とが同じであってもよい。掲示板９０は薄いため、踊り場部５２の奥行寸法と幅寸法とが同じであって、ステップ部５１に対向する壁９５が図６（ａ）に示す位置よりもステップ部５１側に設けられていたとしても、踊り場部５２から２階居室空間２１へ矢印Ｂの方向に進行する際の有効幅を確保することができる。
【００３４】
以上、本発明の一実施形態について説明したが、本発明は、上記実施形態及び各変形例に限定されるものではない。例えば、階段５０は中間床１０と２階床２０とを接続するものとしたが、１階床と２階床２０とを接続するものなど、上階の床と下階の床とを接続するものであればよい。実施形態において、踊り場部５２の奥行寸法と幅寸法とは同じであってもよい。また、建物Ｘの間取りは一例であり、上述したものに限定されない。
【符号の説明】
【００３５】
２０…２階床（上階の床）、３０…無床部、５０…階段、５１…ステップ部、５１ａ…段板、５２…踊り場部、６０…収納手段、７０…ベンチ（腰掛部）、８０…装飾物用スペース、９０…掲示板（情報表示装置）、Ｘ…建物。
【図１】
2015081488.tif 000003
【図２】
2015081488.tif 000004
【図３】
2015081488.tif 000005
【図４】
2015081488.tif 000006
【図５】
2015081488.tif 000007
【図６】
2015081488.tif 000008